(57)【要約】メディアデータ再生装置（１００）のメディアデータ切替要求受付部（１０１）は、ユーザからメディアデータ切替要求操作を受付ける。嗜好度集計部（１０３）は、嗜好度投票受付部（１０２）が受付けた嗜好度投票操作を集計し、嗜好度集計結果記憶部（１０７）に記憶する。嗜好度限界値設定部（１０６）は、嗜好度上限値や嗜好度下限値を設定する。切替先メディアデータ決定部（１０４）は、嗜好度集計結果記憶部（１０７）に記憶された嗜好度集計結果に基づき、再生中のメディアデータからの切替先メディアデータを決定する。そして、メディアデータ切替要求受付部（１０１）が切替要求を受付けることをきっかけとして、決定した切替先メディアデータを出力部（１０５）に出力する。
2004030352.tif 000002
【特許請求の範囲】
【請求項１】
出力データに対して、嗜好の度合いである嗜好度の投票を受付ける嗜好度投票受付部（１０２）と、
前記嗜好度投票受付部（１０２）で受付けた嗜好度の投票を集計する嗜好度集計部（１０３）と、
出力するデータを、第１のデータから第２のデータに切替えて出力する出力部（１０５）と、
前記出力部（１０５）で出力中の第１のデータを第２のデータに切替える場合に、前記嗜好度集計部（１０３）における嗜好度の集計結果に基づいて、前記第２のデータを決定する、切替先データ決定部（１０４）とを備える、データ出力装置。
【請求項２】
前記嗜好度投票受付部（１０２）は、１の前記出力データに対して、嗜好の度合いに応じて複数の票を受付けることができる、請求の範囲第１項に記載のデータ出力装置。
【請求項３】
前記嗜好度投票受付部（１０２）は、嗜好度が低いことを示す負の票を含む嗜好の度合いの投票を受付ける、請求の範囲第１項に記載のデータ出力装置。
【請求項４】
前記嗜好度投票受付部（１０２）は、前記出力部（１０５）で現在出力中の第１のデータに対して嗜好の度合いの投票を受付ける、請求の範囲第１項に記載のデータ出力装置。
【請求項５】
前記嗜好度投票受付部（１０２）は、前記第１のデータが含む属性と同じ属性を含む前記第１のデータ以外の他のデータに対しても、同時に、嗜好の度合いの投票を受付ける、請求の範囲第１項に記載のデータ出力装置。
【請求項６】
前記嗜好度集計部（１０３）における集計結果をリセットする集計結果リセット部（１０３）をさらに備える、請求の範囲第１項に記載のデータ出力装置。
【請求項７】
前記切替先データ決定部（１０４）は、前記嗜好度集計部（１０３）における嗜好度の集計結果に基づいて、嗜好度の高いデータほど、前記出力部（１０５）で切替えて出力する第２のデータとなる確率を高く決定する、請求の範囲第１項に記載のデータ出力装置。
【請求項８】
前記切替先データ決定部（１０４）は、前記嗜好度集計部（１０３）における嗜好度の集計結果に基づいて、前記第２のデータとなる確率を高く決定したデータほど高い頻度で出現する切替順序を構築する、請求の範囲第７項に記載のデータ出力装置。
【請求項９】
前記切替先データ決定部（１０４）は、前記嗜好度集計部（１０３）における嗜好度の集計結果に基づいて、嗜好度の低いデータほど、前記出力部（１０５）で切替えて出力する第２のデータとなる確率を高く決定する、請求の範囲第１項に記載のデータ出力装置。
【請求項１０】
前記切替先データ決定部（１０４）は、前記嗜好度集計部（１０３）における嗜好度の集計結果に基づいて、前記第２のデータとなる確率を高く決定したデータほど高い頻度で出現する切替順序を構築する、請求の範囲第９項に記載のデータ出力装置。
【請求項１１】
嗜好度の下限値を設定する嗜好度限界値設定部（１０６）をさらに備え、
前記切替先データ決定部（１０４）は、前記嗜好度集計部（１０３）における嗜好度の集計結果に基づいて、前記嗜好度限界値設定部（１０６）で設定された下限値よりも嗜好度の高いデータを、前記出力部（１０５）で切替えて出力するる第２のデータと決定する、請求の範囲第１項に記載のデータ出力装置。
【請求項１２】
嗜好度の上限値を設定する嗜好度限界値設定部（１０６）をさらに備え、
前記切替先データ決定部（１０４）は、前記嗜好度集計部（１０３）における嗜好度の集計結果に基づいて、前記嗜好度限界値設定部（１０６）で設定された上限値よりも嗜好度の低いデータを、前記出力部（１０５）で切替えて出力するる第２のデータと決定する、請求の範囲第１項に記載のデータ出力装置。
【請求項１３】
前記嗜好度投票受付部（１０２）に替えて、データの出力時間を測定する出力時間測定部（１０２）を備え、
前記嗜好度集計部（１０３）は、前記出力時間測定部（１０２）で測定された出力時間に基づいてデータの嗜好度を集計する、請求の範囲第１項に記載のデータ出力装置。
【請求項１４】
新着情報を取得する新着情報取得部（１０８）をさらに備え、
前記切替先データ決定部（１０４）は、前記新着情報取得部（１０８）で前記新着情報を取得した際に、前記新着情報を前記第２のデータとして決定する、請求の範囲第１項に記載のデータ出力装置。
【請求項１５】
前記出力部（１０５）は、第１のデータと第２のデータとを切替えて出力する処理を連続的に行なう、請求の範囲第１項に記載のデータ出力装置。
【請求項１６】
前記出力部（１０５）でのデータの出力時間を決定するデータ出力時間決定部（１１０）をさらに備え、
前記出力部（１０５）は、前記データ出力時間決定部（１１０）で決定された時間が経過するごとに、前記第１のデータと第２のデータとを切替えて出力する処理を行なう、請求の範囲第１５項に記載のデータ出力装置。
【請求項１７】
前記データ出力時間決定部（１１０）は、前記嗜好度集計部（１０３）における嗜好度の集計結果に基づいて前記出力部（１０５）でのデータの出力時間を決定する、請求の範囲第１６項に記載のデータ出力装置。
【請求項１８】
前記データ出力時間決定部（１１０）は、前記嗜好度集計部（１０３）における嗜好度の集計結果に基づいて、嗜好度の高いデータほど出力時間を長く設定する、請求の範囲第１７項に記載のデータ出力装置。
【請求項１９】
前記データ出力時間決定部（１１０）は、前記嗜好度集計部（１０３）における嗜好度の集計結果に基づいて、嗜好度の低いデータほど出力時間を長く設定する、請求の範囲第１７項に記載のデータ出力装置。
【請求項２０】
データ出力装置と通信を行なって前記データ出力装置を制御する制御装置であって、
出力データに対して、嗜好の度合いである嗜好度の投票を受付ける嗜好度投票受付部（２０２）と、
前記嗜好度投票受付部（２０２）で受付けた嗜好度の投票を集計する嗜好度集計手段と、
前記データ出力装置において出力するデータを、第１のデータから第２のデータに切替える制御信号を前記データ出力装置に対して出力する出力部（２０５）と、
前記出力部（２０５）から、前記データ出力装置において出力中の前記第１のデータを第２のデータに切替える制御信号を前記データ出力装置に対して出力する場合に、前記嗜好度集計部（２０３）における嗜好度の集計結果に基づいて、前記第２のデータを決定する、切替先データ決定部（２０４）とを備える、制御装置。
【請求項２１】
出力データに対して、嗜好の度合いである嗜好度の投票を受付ける嗜好度投票ステップ（Ｓ２０１）と、
前記投票された嗜好度を集計する嗜好度集計ステップ（Ｓ２０２）と、
出力するデータを、第１のデータから第２のデータに切替えるデータ切替ステップ（Ｓ２０５）と、
出力中の前記第１のデータを前記データ切替ステップ（Ｓ２０５）で第２のデータに切替える場合に、前記嗜好度の集計結果に基づいて、前記第２のデータを決定する、切替先データ決定ステップ（Ｓ２０３）とを備える、データ出力方法。
【請求項２２】
データ出力方法をコンピュータに実行させるプログラムプロダクトであって、
出力データに対して、嗜好の度合いである嗜好度の投票を受付ける嗜好度投票ステップ（Ｓ２０１）と、
前記投票された嗜好度を集計する嗜好度集計ステップ（Ｓ２０２）と、
出力するデータを、第１のデータから第２のデータに切替えるデータ切替ステップ（Ｓ２０５）と、
出力中の前記第１のデータを前記データ切替ステップ（Ｓ２０５）で第２のデータに切替える場合に、前記嗜好度の集計結果に基づいて、前記第２のデータを決定する、切替先データ決定ステップ（Ｓ２０３）とを実行させる、データ出力プログラムプロダクト。
【発明の詳細な説明】
【技術分野】  本発明は、データ出力装置、制御装置、データ出力方法、およびデータ出力プログラムプロダクトに関し、特に適切なデータの候補を決定してユーザに提示するデータ出力装置、制御装置、データ出力方法、およびデータ出力プログラムプロダクトに関する。
【背景技術】  従来のテレビ受像機（以下、テレビと略する）においては、各チャンネルに固有の番号が割振られていて、ユーザは、リモートコントローラ（以下、リモコンと表記）操作などによってその固有の番号を指定すれば、任意のチャンネルに切替えることが可能である。ラジオ受信機においても、放送局の周波数をプリセットすることで、ボタン操作などにより任意の放送局を直接指定して受信することが可能である。
ＢＳ／ＣＳ放送のように、チャンネル数が数十〜数百に及ぶ場合には、リモコンにチャンネルの数だけボタンを実装するのは現実的でないため、複数回のボタン操作により受信するチャンネルを指定する方法が採られている場合が多い。例えば、チャンネル番号が６０の場合には「６」ボタンと「０」ボタンを続けて押す、といった具合である。
しかし、ユーザが記憶できるチャンネル番号の数には限りがあり、複数回のボタン操作は煩雑でもあるため、通常は、隣接する番号のチャンネルへ切替える、「次のチャンネル」や「前のチャンネル」ボタンを利用することが多いと考えられる。
また、デジタルカメラにおいて撮影した画像を順々に表示させていく場合や、ポータブルオーディオプレーヤにおいて再生させる曲を次々に替えていく場合などに、これらの機器がテレビのリモコンのように数字のボタン（０〜９）を備えていることは稀であって、「次のメディア」「前のメディア」へ切替えるボタンを利用することが通常である。
このような、多数のデータを順々に再生または表示させ、各データを１つずつ評価することで、好みのデータ群を絞り込んでいく作業は、データ数が増えるほど煩雑になる。
そこで、機器側で、ユーザが好むと想定されるデータ群を抽出して、この中から選択させるといった方法が有効になる場合がある。
このような方法を採用した装置として、たとえば、特開平１０−２５７４０５号公報に記載されているように、数多くの番組からユーザの好む番組を効率的に選択する番組選択装置が知られている。この番組選択装置は、ユーザの所望の時間帯、好みのジャンル、よく見る番組に含まれている地名や人名などのキーワードをもとに、ユーザが是非とも見たいと思う番組を能動的に推薦し、ユーザは推薦されたものを選択する、という番組選択方法を実現するものである。
しかしながら、そもそもユーザの嗜好は時間を経るにつれて変化するものであるため、特開平１０−２５７４０５号公報に開示されているような過去に設定された情報をもとに推薦番組を提示する方法では、ユーザの新しい嗜好に対応することができないという問題がある。
また、ユーザの嗜好が多分野にわたる場合や、ユーザが好む分野でも推薦番組が多数ある場合には、特開平１０−２５７４０５号公報に開示されているような、候補を少数に絞込む方法では対応できないという問題もある。
また、デジタルカメラで撮影した画像など、そもそもユーザの嗜好に関わる属性を含まないデータを扱う場合には、機器側で候補を絞ることが不可能であるという問題もある。
本発明は、このような課題を解決するためになされたものであって、多数のデータの候補から適切な候補を効率よく絞込むことのできるデータ出力装置、制御装置、データ出力方法、およびデータ出力プログラムプロダクトを提供することを目的とする。
【発明の開示】
本発明においては、上述の課題を解決するために、以下に示されるデータ出力装置、制御装置、データ出力方法、およびデータ出力プログラムプロダクトが提供される。
（１）出力データに対して、嗜好の度合いである嗜好度の投票を受付ける嗜好度投票受付部と、嗜好度投票受付部で受付けた嗜好度の投票を集計する嗜好度集計部と、出力するデータを、第１のデータから第２のデータに切替えて出力する出力部と、出力部で出力中の第１のデータを第２のデータに切替える場合に、嗜好度集計部における嗜好度の集計結果に基づいて、第２のデータを決定する、切替先データ決定部とを備える、データ出力装置。
（２）データ出力装置と通信を行なって前記データ出力装置を制御する制御装置であって、出力データに対して、嗜好の度合いである嗜好度の投票を受付ける嗜好度投票受付部と、嗜好度投票受付部で受付けた嗜好度の投票を集計する嗜好度集計手段と、データ出力装置において出力するデータを、第１のデータから第２のデータに切替える制御信号をデータ出力装置に対して出力する出力部と、出力部から、データ出力装置において出力中の第１のデータを第２のデータに切替える制御信号をデータ出力装置に対して出力する場合に、嗜好度集計部における嗜好度の集計結果に基づいて、第２のデータを決定する、切替先データ決定部とを備える、制御装置。
（３）出力データに対して、嗜好の度合いである嗜好度の投票を受付ける嗜好度投票ステップと、投粟された嗜好度を集計する嗜好度集計ステップと、出力するデータを、第１のデータから第２のデータに切替えるデータ切替ステップと、出力中の第１のデータをデータ切替ステップで第２のデータに切替える場合に、嗜好度の集計結果に基づいて、第２のデータを決定する、切替先データ決定ステップとを備える、データ出力方法。
（４）データ出力方法をコンピュータに実行させるプログラムプロダクトであって、出力データに対して、嗜好の度合いである嗜好度の投票を受付ける嗜好度投票ステップと、投票された嗜好度を集計する嗜好度集計ステップと、出力するデータを、第１のデータから第２のデータに切替えるデータ切替ステップと、出力中の第１のデータをデータ切替ステップで第２のデータに切替える場合に、嗜好度の集計結果に基づいて、第２のデータを決定する、切替先データ決定ステップとを実行させる、データ出力プログラムプロダクト。
【図面の簡単な説明】  第１図は、本発明の実施の形態におけるメディアデータ再生装置１００のハードウェア構成の具体例を示す図である。
第２図は、本発明の実施の形態のメディアデータ再生装置１００において、再生するメディアデータを切替える機能を実現する機能構成を示す機能ブロック図である。
第３図は、本発明の実施の形態におけるメディアデータ再生装置１００で行なわれる切替先メディアデータ決定処理の流れを示すフローチャートである。
第４図は、第１の実施の形態におけるメディアデータ再生装置１００であるテレビを制御するリモコン３００のボタンレイアウトの具体例を示す図である。
第５図は、第１の実施の形態において、嗜好度集計部１０３で作成され、嗜好度集計結果記憶部１０７に記憶される嗜好度集計表の具体例を示す図である。
第６図は、第１の実施の形態において、切替先メディアデータ決定部１０４で作成される切替管理表の具体例を示す図である。
第７図は、切替先メディアデータ決定処理を行なうリモコン３００の機能構成を示す機能ブロック図である。
第８図は、第１の実施の形態の第１の変形例におけるメディアデータ再生装置１００において、再生するメディアデータを切替える機能を実現する機能構成を示す機能ブロック図である。
第９図は、第１の実施の形態の第１の変形例におけるメディアデータ再生装置１００で行なわれる切替先メディアデータ決定処理の流れを示すフローチャートである。
第１０図は、第１の実施の形態の第１の変形例において、切替先メディアデータ決定部１０４で作成される切替管理表の具体例を示す図である。
第１１図および第１２図は、第１の実施の形態の第１の変形例における切替先メディアデータ決定処理の一部または全てを行なうリモコン３００の機能構成を示す機能ブロック図である。
第１３図は、第１の実施の形態の第２の変形例におけるメディアデータ再生装置１００において、再生するメディアデータを連続的に切替えていく機能を実現する機能構成を示す機能ブロック図である。
第１４図は、第１の発明の実施の形態の第２の変形例におけるメディアデータ再生装置１００で行なわれるメディアデータ切替処理の流れを示すフローチャートである。
第１５図は、第１の実施の形態の第２の変形例におけるデータ出力時間決定部１１０で作成される出力時間管理表の具体例を示す図である。
第１６図は、第１の実施の形態の第２の変形例における切替先メディアデータ決定処理の全てを行なうリモコン３００の機能構成を示す機能ブロック図である。
第１７図は、第２の実施の形態におけるメディアデータ再生装置１００であるデジタルカメラ４００の背面の操作系レイアウトの具体例を示す図である。
第１８図は、第２の実施の形態において、嗜好度集計部１０３で作成され、嗜好度集計結果記憶部１０７に記憶される嗜好度集計表の具体例を示す図である。
第１９図は、第２の実施の形態において、切替先メディアデータ決定部１０４で作成される切替管理表の具体例を示す図である。
第２０図は、第２の実施の形態の変形例におけるデータ出力時間決定部１１０で作成される出力時間管理表の具体例を示す図である。
【発明を実施するための最良の形態】  以下に、図面を参照しつつ、本発明の実施の形態について説明する。以下の説明では、同一の部品および構成要素には同一の符号を付してある。それらの名称および機能も同じである。したがってそれらについての詳細な説明は繰返さない。
図１は、本発明の実施の形態におけるメディアデータ再生装置１００のハードウェア構成の具体例を示す図である。
図１を参照して、本発明の実施の形態におけるメディアデータ再生装置１００は、メディアデータ再生装置１００全体を制御するＣＰＵ（Ｃｅｎｔｒａｌ  Ｐｒｏｃｅｓｓｉｎｇ  Ｕｎｉｔ）１１と、記録装置であるＨＤＤ（Ｈａｒｄ  Ｄｉｓｃ  Ｄｒｉｖｅ）１０、ＲＡＭ（Ｒａｎｄｏｍ  Ａｃｃｅｓｓ  Ｍｅｍｏｒｙ）１２、およびＲＯＭ（Ｒｅａｄ  Ｏｎｌｙ  Ｍｅｍｏｒｙ）１３と、外部からの入力を受付ける入力装置１４と、外部に対してデータを出力する出力装置１５と、記録媒体５００を読取る読取装置１６とを含んで構成され、それらはバス１７に接続される。
入力装置１４は、ユーザが操作するための操作パネルおよび／または操作ボタンや、外部装置から操作入力やデータ入力を受付ける装置であってもよい。入力装置１４でユーザの指示を受付けると、指示信号が入力装置１４からバス１７を介してＣＰＵ１１に出力される。ＣＰＵ１１は、入力された操作信号に基づいて、ＲＯＭ１３や、読取装置１６で読取られる記録媒体５００に記録されるプログラムを読出して実行し、各部に制御信号を出力する。ＲＡＭ１２はその際の作業領域ともなる。
なお、図１に示されるメディアデータ再生装置１００のハードウェア構成は一般的なコンピュータのハードウェア構成であって、言うまでもなく、本発明にかかるメディアデータ再生装置のハードウェア構成は図１に示されるハードウェア構成に限定されるものではない。
図２は、本発明の実施の形態におけるメディアデータ再生装置１００において、再生するメディアデータを切替える機能を実現する機能構成を示す機能ブロック図である。図２に示される各部は、ＣＰＵ１１がＲＯＭ１３等に記憶されているプログラムを読出して実行することで発揮される機能である。
図２を参照して、メディアデータ再生装置１００は、メディアデータ切替要求受付部１０１と、嗜好度投票受付部１０２と、嗜好度集計部１０３と、切替先メディアデータ決定部１０４と、出力部１０５と、嗜好度限界値設定部１０６と、嗜好度集計結果記憶部１０７とを含んで構成される。
ユーザは、メディアデータ再生装置１００に対して、メディアデータ切替要求操作および嗜好度投票操作を行なう。メディアデータ切替要求操作は、メディアデータ切替要求受付部１０１が受付ける。嗜好度投票操作は、嗜好度投票受付部１０２が受付け、嗜好度集計部１０３にて集計される。嗜好度集計部１０３で集計された嗜好度集計結果は、嗜好度集計結果記憶部１０７に記憶される。また、嗜好度限界値設定部１０６は、嗜好度上限値や嗜好度下限値を設定する。
切替先メディアデータ決定部１０４は、嗜好度集計結果記憶部１０７に記憶された嗜好度集計結果および設定された嗜好度上限値または嗜好度下限値を利用して、次にどのメディアデータに切替えるべきか、切替先メディアデータを決定する。そして、切替先メディアデータ決定部１０４は、メディアデータ切替要求受付部１０１が切替要求を受付けることをきっかけとして、決定した切替先メディアデータを出力部１０５に出力する。
図３は、本発明の実施の形態におけるメディアデータ再生装置１００で行なわれる切替先メディアデータ決定処理の流れを示すフローチャートである。図３のフローチャートに示される切替先メディアデータ決定処理は、メディアデータ再生装置１００のＣＰＵ１１がＲＯＭ１３等に記憶されるプログラムを読込んで図２に示される各部を機能させて実行することによって実現される。
図３を参照して、まず、嗜好度投票受付部１０２は、ユーザから嗜好度の投票を受付けると（Ｓ２０１でＹＥＳ）、受付けた嗜好度投票情報を嗜好度集計部１０３に渡す。
次に、嗜好度集計部１０３は、嗜好度を集計する（Ｓ２０２）。そして、ステップＳ２０２での集計結果に基づいて、嗜好度集計結果記憶部１０７に記憶されている嗜好度集計結果を更新する。
次に、切替先メディアデータ決定部１０４は、嗜好度集計結果記憶部１０７に記憶されている嗜好度集計結果に基づいて、次に切替えるべきメディアデータである切替先メディアデータを決定する（Ｓ２０３）。
そして、メディアデータ切替要求受付部１０１が、ユーザからのメディアデータ切替要求を受付けると（Ｓ２０４でＹＥＳ）、それをきっかけにして、切替先メディアデータ決定部１０４は、決定した切替先メディアデータに基づいて、出力部１０５で再生するメディアデータを切替える（Ｓ２０５）。
以上でメディアデータ再生装置１００における切替先メディアデータ決定処理が終了し、メディアデータ再生装置１００の出力部１０５では、ユーザの嗜好に応じたメディアデータに切替えて再生する。
上述のステップＳ２０３において、切替先メディアデータの決定は、嗜好度投票受付部１０２がユーザからの投票を受付ける度に実行されてもよいし、メディアデータ切替要求受付部１０１がユーザからのメディアデータ切替要求を受付けたときに実行されてもよい。前者の場合には、メディアデータ再生装置１００は、ステップＳ２０５においてメディアデータを切替えるまでに、切替先メディアデータ決定部１０４が決定した切替先を記憶しておく切替先記憶部（図示せず）をＲＡＭ１２の所定領域などにさらに備えるものとする。
なお、ここでメディアデータの再生とは、データ出力の形態の１形態であって、データ化されたメディアデータを再構成して出力することを言う。例えばメディアデータが文書や静止画や動画のメディアデータである場合には、文書や静止画や動画を表示することを言う。また、メディアデータが音楽のメディアデータである場合には、音楽を出力することを言う。
［第１の実施の形態］
第１の実施の形態として、メディアデータ再生装置１００がテレビジョン受像機（以下、テレビと略する）である場合について説明する。第１の実施の形態においては、制御装置であるリモートコントローラ（以下、リモコンと略する）３００を用いてメディアデータ再生装置１００であるテレビを制御する。
図４は、リモコン３００のボタンレイアウトの具体例を示す図である。
図４を参照して、第１の実施の形態におけるリモコン３００は、前のチャンネルを表示させるボタン３０１と、次のチャンネルを表示させるボタン３０２と、嗜好度を上げる正の投票を行なうボタン３０３と、嗜好度を下げる負の投票を行なうボタン３０４とを含む。さらに、リモコン３００は、ボタン３０１〜３０４によってユーザから入力された情報をメディアデータ再生装置１００であるテレビに送信するための送信部３０５を含む。
本実施の形態におけるメディアデータ再生装置１００であるテレビは、リモコン３００から送信された制御信号を受信するための入力装置１４を構成する受信部をさらに含み、メディアデータ切替要求受付部１０１において、リモコン３００からボタン３０１とボタン３０２とによるチャンネル切替要求操作を受付ける。また、嗜好度投票受付部１０２において、リモコン３００からボタン３０３とボタン３０４とによる嗜好度投票操作を受付ける。
以降において、ユーザが、これらのボタン３０１〜３０４を利用して各チャンネルをザッピング視聴する場合について説明する。
チャンネルは全部で４０チャンネルあり、１〜４０のチャンネル番号が割振られているものとする。
嗜好度投票を全く行なっていない段階においては、ボタン３０２を押すと番号が１つ大なるチャンネルへ、ボタン３０１を押すと番号が１つ小なるチャンネルへ切替わる。また、最終チャンネルであるチャンネル４０が表示されている時にボタン３０２を押すと先頭チャンネルであるチャンネル１へ、チャンネル１が表示されている時にボタン３０１を押すとチャンネル４０へ切替わるものとする。
メディアデータ再生装置１００であるテレビは、嗜好度投票受付部１０２においてリモコン３００よりユーザからの投票を受付けると、投票結果に基づいて嗜好度集計部１０３において図５に示すような嗜好度集計表を作成する。そして、嗜好度集計結果記憶部１０７に記憶されている嗜好度集計表を更新し、各チャンネルに対するユーザの嗜好度を管理する。
図５に、嗜好度集計部１０３で作成され、嗜好度集計結果記憶部１０７に記憶される嗜好度集計表の具体例を示す。図５に示される嗜好度集計表は、各チャンネル番号とそのチャンネルに対するユーザの嗜好度とを対応させた表である。
図５に示す嗜好度集計表は、初期状態では、全てのチャンネルの嗜好度値が１に設定されているものとする。そして、表示中にボタン３０３が押されたチャンネルについては、ボタン３０３が押された回数分だけ嗜好度がインクリメントされる。逆に、表示中にボタン３０４が押されたチャンネルについては、ボタン３０４が押された回数分だけ嗜好度がデクリメントされる。
なお、上述においては、表示中のチャンネルに対してのみボタン３０３またはボタン３０４を押して嗜好度を投票する例が示されているが、現在表示中ではない他のチャンネルに対しても同時に投票が行なわれてもよい。例えば、メディアデータとしてのテレビ放送のデータが、番組のジャンルや、出演者に関する情報等の付帯情報等の属性を含む場合、現在表示中のチャンネルで放映されているデータが含む属性と同じ属性を含む他のチャンネルについて、同時に投票されてもよい。
メディアデータ再生装置１００であるテレビは、切替先メディアデータ決定部１０４において、図５に示す嗜好度集計表に基づき、チャンネル切替順を示す配列を図６のように再配置する。図６に、切替先メディアデータ決定部１０４で作成される切替管理表の具体例を示す。図６に示される切替管理表は、嗜好度投票受付部１０２においてリモコン３００よりユーザからの投票を受付け、嗜好度集計結果記憶部１０７に記憶される嗜好度集計表が更新される度に、切替先メディアデータ決定部１０４において作成される。また、メディアデータ切替要求受付部１０１において、リモコン３００からボタン３０１とボタン３０２とによるチャンネル切替要求操作を受付けたときに、作成されても構わない。
図６を参照して、切替先メディアデータ決定部１０４は、図６に示す切替管理表を作成する際に、チャンネル番号を、図５に示す嗜好度表においてそのチャンネル番号に対応する嗜好度の数だけエントリーする。すなわち、嗜好度が２以上に設定されたチャンネルは、図６に示す切替管理表に複数回登場する。例えば、図５の嗜好度表においてチャンネル２４は嗜好度値が２であるので、図６の切替管理表のチャンネル配列において、本来のチャンネル２３とチャンネル２５の間以外に１回、チャンネル１からチャンネル４０までのチャンネル配列の間に割込んで出現する。割込む位置はランダムに決定されてもよいし、均等に配置されてもよい。具体的には、図６においてはチャンネル４とチャンネル５との間に割込んでいる。また、図５の嗜好度表において嗜好度が０以下に設定されたチャンネルについては、図６の切替管理表にエントリーされない。
さらに図６を参照して、チャンネル配列の左列にある印は、現在表示中のチャンネルを示す。具体的に図６においては現在チャンネル４が表示中であることを示している。そして、この状態において、ユーザがボタン３０１を押せばチャンネル３に、ボタン３０２を押せばチャンネル２４に切替わる。
第１の実施の形態におけるメディアデータ再生装置１００であるテレビは、上述の動作を行なうため、ユーザがリモコン３００によって嗜好度投票操作を行ない、次のチャンネル、前のチャンネルへ切替える操作を繰返すと、好みのチャンネルはより頻繁に表示され、好みでないチャンネルはより稀に表示される、または全く表示されなくなる。この結果、ユーザは、チャンネル番号を意識することなく、最終的に１つ以上の所望のチャンネルを絞込むことができる。
なお、嗜好度集計部１０３は、上述した一連の操作により更新され嗜好度集計結果記憶部１０７に記憶される嗜好度集計表を、所定の条件によってリセットするものとする。所定の条件とは、テレビの電源が切られた時に全てのチャンネルの嗜好度を１にするようにしてもよいし、あるチャンネルで放送されている番組が終了した時にそのチャンネルの嗜好度をリセットするようにしてもよいし、別途嗜好度をリセットする操作専用のリモコンボタンを設け、これを利用するようにしてもよい。
また、上の例では嗜好度が０以下のチャンネルは自動的に切替対象から外していたが、嗜好度限界値設定部１０６においてユーザから嗜好度下限値の設定を受付け、たとえば嗜好度下限値が−１に設定されれば、嗜好度が−１以上のチャンネルリストから図６のチャンネル配列を再構成するようにしてもよい。このようにすれば、一度切替えの対象外となっていたチャンネルを切替順列に復活させることもできる。
また、図５に示した嗜好度集計表および図６に示した切替管理表をテレビ画面に表示し、これを見ながらチャンネル切替え、投票操作を行なえるようにしてもよい。さらに、上述の嗜好度集計表および切替管理表と共に、チャンネル番号に対応させて番組の内容を示す情報もテレビ画面に表示してもよい。例えば、テレビ放送がデジタル放送である場合には、番組情報としてテレビ局から送信されてくる番組に関する情報（タイトル、出演者等の情報）もチャンネル番号に対応させてテレビ画面に表示させると、ユーザの利便性がより向上する。
また、現在表示中のチャンネル嗜好度の値、または嗜好度の高さ（低さ）を示す目印となる画像、音声などを出力してもよい。
また、メディアデータ再生装置１００であるテレビは、図５に示した嗜好度集計表および図６に示した切替管理表を複数管理し、テレビを視聴、操作するユーザ、時間帯、テレビの設置場所などに応じて、自動的にまたはユーザ操作により、複数の嗜好度集計表および切替管理表のうちの任意の１つの嗜好度集計表および切替管理表が指定されるようにしてもよい。
また、図５に示した嗜好度集計表および図６に示した切替管理表は、ネットワークを利用して、またはメモリーカードなどの記録媒体を利用して、外部機器より取得できるようにしてもよい。
また、上の例では予め切替管理表において定められたチャンネル配列の途中に嗜好度の高いチャンネルを挿入していく方法を採ったが、この方法に限定するものではない。例えば、嗜好度の高い順にチャンネルが並ぶように切替管理表のチャンネル配列を再構成してもよい。
なお、第１の実施の形態においては、リモコン３００から情報の入力を受付けたメディアデータ再生装置１００であるテレビが切替先のメディアデータを決定する処理を行なう場合について説明したが、この処理を全てリモコン３００が実行してもよい。この場合の、リモコン３００の機能構成を示す機能ブロック図を図７に示す。図７を参照して、この場合のリモコン３００もまた、図２に示す各部と同様のメディアデータ切替要求受付部２０１と、嗜好度投票受付部２０２と嗜好度集計部２０３と、切替先メディアデータ決定部２０４と、出力部２０５と嗜好度限界値設定部２０６と、嗜好度集計結果記憶部２０７とを含んで構成される。上述の各部は、上に述べたメディアデータ再生装置１００の各機能と同様であるため、ここでの説明は繰返さない。そして、リモコン３００は、通信機能を備える出力部２０５より、テレビで再生するチャンネルを切替先メディアデータ決定部２０４で決定したチャンネルの切替先に切替えさせるための制御信号を、テレビに対して送信するものとする。この場合の処理もまた、上述の処理と同様であるため、ここでの説明は繰返さない。
このようにリモコン３００が図７に示す機能構成であって、上述の切替先のメディアデータを決定する処理を行なう場合においては、メディアデータ再生装置１００であるテレビを利用するユーザが、ユーザごとに別々のリモコンを持ち歩くことにすれば、家庭内に複数のテレビがあっても、同じリモコンで操作することによってどのテレビにも個人の好みのチャンネルを表示させることができ便利になると考えられる。また、１台のテレビに対しても、複数のユーザが各自のリモコンで操作することにすれば、該テレビに対してユーザ変更用の特別な操作をしなくても、見たいチャンネル群を即座に呼び出すことが可能になり、便利である。
［第１の実施の形態の第１の変形例］
第１の実施の形態の第１の変形例として、メディアデータ再生装置１００であるテレビが新着情報取得手段を更に具備し、ユーザのチャンネル切替え操作をきっかけとして、取得した新着情報をテレビ画面に表示させる場合について説明する。
図８は、本実施の形態の第１の変形例におけるメディアデータ再生装置１００において、再生するメディアデータを切替える機能を実現する機能構成を示す機能ブロック図である。本実施の形態の第１の変形例においては、再生するメディアデータが新着情報を含むことを特徴とする。
図８を参照して、第１の変形例におけるメディアデータ再生装置１００は、図２で示した第１の実施の形態のメディアデータ再生装置１００が具備する各構成要素に加え、新着情報取得部１０８をさらに含んで構成される。
切替先メディアデータ決定部１０４は、予め定まっているメディアデータ群に加えて、新着情報取得部１０８が取得した新着情報も、切替先の候補に含める。
メディアデータ再生装置１００のその他の構成要素については、機能および役割が第１の実施の形態におけるそれと同様であるため、それらについての説明はここでは繰返さない。
図９は、本実施の形態の第１の変形例におけるメディアデータ再生装置１００で行なわれる切替先メディアデータ決定処理の流れを示すフローチャートである。図９のフローチャートに示される処理は、図３に示される第１の実施の形態におけるメディアデータ再生装置１００で行なわれる切替先メディアデータ決定処理の各ステップ（Ｓ２０１〜Ｓ２０５）に加えて、ステップＳ２０６およびステップＳ２０７の処理をさらに含んで構成されている。
具体的には図９を参照して、本実施の形態の第１の変形例においては、嗜好度投票受付部１０２がユーザから嗜好度の投票を受付けて（Ｓ２０１でＹＥＳ）切替先メディアデータ決定部１０４が切替先メディアデータを決定した後（Ｓ２０３）、さらに、新着情報取得部１０８が新着情報を取得して未処理の新着情報が存在している場合には（Ｓ２０６でＹＥＳ）、切替先メディアデータ決定部１０４は、嗜好度集計結果および取得した新着情報に基づいて、次に切替えるメディアデータである切替先メディアデータを決定する（Ｓ２０７）。
一方、嗜好度投票受付部１０２がユーザから嗜好度の投票を受付けていても（Ｓ２０１でＹＥＳ）、新着情報取得部１０８が新着情報を取得しておらず、未処理の新着情報が存在していない場合には（Ｓ２０６でＮＯ）、ステップＳ２０７の処理をスキップして処理をステップＳ２０４に進める。
図９のその他のステップについては、図３に示される各ステップと同様の処理であるため、ここでの説明は繰返さない。
第１の実施の形態の第１の変形例においても、メディアデータ再生装置１００がテレビであるものとし、これをリモコン３００を用いて制御する。リモコン３００についてもまた第１の実施の形態で示されたリモコン３００と同様であるので説明は繰返さない。以降において、ユーザがリモコン３００のボタン３０１〜３０４を利用して各チャンネルをザッピング視聴する場合について説明する。
第１の実施の形態の第１の変形例においても、第１の実施の形態と同様の手順により、切替先メディアデータ決定部１０４において、図５に示す嗜好度集計表に基づき、チャンネル切替順を示す配列を図６のように再配置する。
図６を参照して、チャンネル配列の左列にある印は、現在表示中のチャンネルを示す。具体的に図６においては現在チャンネル４が表示中であることを示している。この状態で、新着情報取得部１０８が新着情報を取得していない場合においては、ユーザがボタン３０１を押せばチャンネル３に、ボタン３０２を押せばチャンネル２４に切替わる。これは上述の処理においては、ステップＳ２０６でＮＯでかつステップＳ２０４でＹＥＳである場合に該当し、ステップＳ２０５の処理が実行されたことによる。
一方、新着情報１０８が新着情報を取得している場合には、チャンネル切替順を示す配列は図１０に示されるように再配置される。これは上述の処理においては、ステップＳ２０６でＹＥＳである場合に該当し、ステップＳ２０３の処理が実行されたことによる。ステップＳ２０３でメディアデータ決定部１０４は、取得した新着情報を、優先的にチャンネル切替で表示されやすい位置に配置して切替管理表を更新する。より具体的には、図１０を参照して、ステップＳ２０３でメディアデータ決定部１０４は、取得した新着情報を、現在表示中のチャンネルの両隣に割込ませて配置する。この結果、ユーザがボタン３０１、およびボタン３０２のどちらを押しても該新着情報に切替わる。
なお、該新着情報に切替わった後、次のチャンネル切替操作が施された時点においては、メディアデータ決定部１０４は、該新着情報をチャンネル切替順を示す配列から削除してしまっても構わない。
または、該新着情報も他のチャンネル群と同様に１つのチャンネルとして扱われ、図５に示される嗜好度集計表に追加されてチャンネル切替操作を繰返すと、メディアデータ再生装置１００であるテレビでは、一定の頻度で登場するようにしてもよい。
この場合、新規に追加された新着情報に対しても、ボタン３０３、およびボタン３０４を押すことによる嗜好度値の設定が可能であることが好ましい。
なお、上記の例では、新着情報取得部１０８が新着情報を取得した場合に、メディアデータ決定部１０４は、図１０に示したように現在表示中のチャンネルの両隣に該新着情報を割込ませて配置し、次回のチャンネル切替操作ですぐに該新着情報を表示させる構成としたが、該新着情報を挿入する位置は必ずしも現在表示中のチャンネルの両隣になくてもよい。現在表示中チャンネルから離れた位置に挿入してもよいし、両隣でなく片側だけに挿入してもよいし、複数箇所に挿入してもよい。また、新着情報を取得した時点における嗜好度集計の結果をもとに、該新着情報の嗜好度を適宜設定し、チャンネル切替順配列にエントリーさせてもよい。
第１の実施の形態の第１の変形例における新着情報の例としては、ユーザ操作などによって、インターネットを介してＷＥＢサーバなどから定期的に受信するように設定されている情報（天気予報、交通情報など）や、ユーザ操作などによって、現在時刻が所定の条件を満たすと受信するように設定されている情報（期限が近づくと表示されるスケジュール情報、ＴＯＤＯリストなど）や、現在位置が所定の条件を満たすと受信するように設定されている情報（自動車に搭載されるテレビや、携帯電話やヘッドマウントディスプレイに内蔵されるテレビなどのように、移動可能なテレビにおいて、テレビが特定の施設や機器に近づくと、該施設や該機器に関する情報を受信する、など）や、インターネットなどの通信網を介してサーバから都度配信されていくる情報（ニュース、株価情報、オークションの入札情報、メールなど）や、ユーザの近傍や遠隔に存在する機器の状況変化通知情報（洗濯機の洗濯処埋が完了した、電子レンジの加熱調理処理が所定の時間行なわれた、などの情報）などが考えられる。
なお、新着情報はテレビのチャンネルとして表示させるデータそのものであってもよいし、チャンネルとして表示可能なデータの在処など、表示可能なデータを取得する手がかりを表わす情報であってもよい。前者の場合には、チャンネル切替操作によって新着情報そのものがテレビに表示されるが、後者の場合には、メディアデータ再生装置１００であるテレビでは、取得した新着情報に基づいて、表示すべきデータを別途取得もしくは作成した上でチャンネル切替順配列に登録する。この取得もしくは作成の処理は、新着情報取得部１０８が行なってもよいし、切替先メディアデータ決定部１０４が行なってもよいし、通信回線を介して外部機器に処理を依頼する構成であってもよい。
また、嗜好度集計結果に基づいて、ユーザの嗜好度の高いチャンネルが、番組のジャンルや、出演者に関する情報などの付帯情報などの属性を含む場合、メディアデータ再生装置１００であるテレビは、該属性をキーとして検索を行ない、関連性が高いと評価された情報をインターネットなどの通信手段を介して取得し、新着情報として扱ってもよい。この場合においても、新着情報はチャンネルとして表示可能な情報であってもよいし、表示可能な情報を取得または作成する手がかりを表わす情報であってもよい。
また、テレビのチャンネルにおいて放送中の番組が終了した、新しい番組が始まった、コマーシャル（ＣＭ）の放送が始まった、ＣＭが終了した、などの区切りにおいて、該チャンネルを新着情報として扱うことにしてもよい。
なお、第１の実施の形態の第１の変形例においては、リモコン３００から情報の入力を受付けたメディアデータ再生装置１００であるテレビが切替先メディアデータ決定処理を行なう場合について説明したが、この処理の一部または全てをリモコン３００が実行してもよい。
具体的には、リモコン３００の機能構成が図７に示される機能構成であって、図８に示された新着情報取得部を含まず（テレビ側に含まれ）、通信機能を備える出力部２０５より、切替先メディアデータ決定部２０４で決定したチャンネルの切替先をテレビに対して送信する。これを受信したテレビは、新着情報を取得していなければ、リモコン３００より受信した切替先に切替え、新着情報を取得していれば、該新着情報に切替えるようにしてもよい。
または、リモコン３００の機能構成が図１１に示される機能構成であってテレビが送信する信号を受信する受信部２０９をさらに含む双方向リモコンであり、テレビが新着情報を受信した際に、該新着情報、または該新着情報へのポインタを示す情報、または該新着情報を受信したか否かを示す情報を、テレビから受信してもよい。この情報を受信したリモコン３００の切替先メディアデータ決定部２０４は、該新着情報を切替先に決定し、該切替先を出力部２０５よりテレビに対して送信する構成にしてもよい。
または、リモコン３００の機能構成が図１２に示される機能構成であって新着情報取得部２０８をさらに含み、該新着情報取得部２０８は赤外線、Ｂｌｕｅｔｏｏｔｈ（Ｒ）、電話回線、またはＬＡＮ（Ｌｏｃａｌ  Ａｒｅａ  Ｎｅｔｗｏｒｋ）などを介して、外部の機器やサーバより、新着情報または新着情報へのポインタを示す情報または新着情報が存在するか否かを示す情報を取得することが可能であってもよい。リモコン３００の切替先メディアデータ決定部２０４は、新着情報取得部２０８が該情報を取得した際に、該新着情報を切替先に決定し、該切替先を出力部２０５よりテレビに対して送信する構成にしてもよい。
［第１の実施の形態の第２の変形例］
第１の実施の形態の第２の変形例として、メディアデータ再生装置１００であるテレビが自動的にチャンネルを次々に切替えていくモードを備え、このモードを利用する場合について説明する。
図１３は、本実施の形態の第２の変形例におけるメディアデータ再生装置１００において、再生するメディアデータを連続的に切替えていく機能を実現する機能構成を示す機能ブロック図である。
図１３を参照して、第２の変形例におけるメディアデータ再生装置１００は、図８で示した第１の変形例のメディアデータ再生装置１００が具備する各構成要素に加え、メディアデータ連続切替要求受付部１０９と、データ出力時間決定部１１０と、タイマ１１１と、メディアデータの連続切替モードを解除する、メディアデータ連続切替解除要求受付部１１２とをさらに含んで構成される。
第２の変形例において、ユーザは、メディアデータ再生装置１００に対して、メディアデータ連続切替要求操作を行なうことができる。メディアデータ連続切替要求操作は、メディアデータ連続切替要求受付部１０９が受付ける。
データ出力時間決定部１１０は、嗜好度集計結果記憶部１０７に記憶された嗜好度集計結果および設定された嗜好度上限値または嗜好度下限値を利用して、各データについて、出力データが該データに切替えられた際にどれだけの時間出力するべきか出力時間を設定する。
切替先メディアデータ決定部１０４は、決定した切替先メディアデータに対してデータ出力時間決定部１１０が設定した出力時間を取得し、決定した切替先メディアデータを出力部１０５に出力すると同時に、タイマ１１１に前記出力時間を通知する。
タイマ１１１は、切替先メディアデータ決定部１０４よりメディアデータの出力時間を通知されると、通知された時刻から前記出力時間が経過した時点で、所定時間が経過した旨の情報を切替先メディアデータ決定部１０４に返す。
切替先メディアデータ決定部１０４は、タイマ１１１より所定時間が経過した旨の情報を受信すると、次回の切替処理を行なう。
上記の処理が繰返されることにより、出力されるメディアデータが連続的に切替えられる。
さらにユーザは、メディアデータ連続切替解除要求受付部１１２に対して、連続切替の解除を要求するための操作を行なうことができる。この操作により、データは連続的には切替わらなくなる。
なお、上記連続切替解除要求受付部１１２を設けず、上記連続切替解除要求操作は、メディアデータ切替要求受付部１０１に対するメディアデータ切替要求操作が施されたときに同時に行なうことにしても構わない。
メディアデータ再生装置１００のその他の構成要素については、機能および役割が第１の実施の形態および第１の実施の形態の第１の変形例におけるそれと同様であるため、それらについての説明はここでは繰返さない。
図１４は、本発明の実施の形態の第２の変形例におけるメディアデータ再生装置１００で行なわれるメディアデータ切替処理の流れを示すフローチャートである。図１４のフローチャートに示される処理は、図９に示される第１の実施の形態の第１の変形例におけるメディアデータ再生装置１００で行なわれる切替先メディアデータ決定処理の各ステップ（Ｓ２０１〜Ｓ２０３，Ｓ２０５，Ｓ２０６）に加えて、ステップＳ２０７〜Ｓ２０９の処理をさらに含んで構成されている。
図１４を参照して、第２の変形例においては、第１の変形例においてステップＳ２０３で、切替先メディアデータ決定部１０４が嗜好度集計結果および取得した新着情報に基づいて、次に切替えるメディアデータである切替先メディアデータを決定した後に（Ｓ２０３）、データ出力時間決定部１１０は出力時間を更新する（Ｓ２０７）。
さらに、連続切替設定モードが解除されていなければ（Ｓ２０８でＮＯ）、データ出力時間決定部１１０で設定された出力時間が経過した時点で（Ｓ２０９でＹＥＳ）、ステップＳ２０３で設定された切替先データへの切替処理を行なう（Ｓ２０５）。
一方、連続切替設定モードが解除されている場合には（Ｓ２０８でＹＥＳ）、ステップＳ２０５におけるメディアデータの切替えを実行せずに本処理を終了する。
図１４のその他のステップについては、図３および／または図９に示される各ステップと同様の処理であるため、ここでの説明は繰返さない。
第１の実施の形態の第２の変形例においても、メディアデータ再生装置１００がテレビであるものとし、これをリモコン３００を用いて制御する。リモコン３００についてもまた第１の実施の形態で示されたリモコン３００と同様であるので説明は繰返さない。
また、リモコン３００のボタンレイアウトは図４に示されたボタンレイアウトと同様であるので、図４を用いて説明する。すなわち図４を参照して、第１の実施の形態の第２の変形例におけるリモコン３００において、次のチャンネルに切替えるボタン３０２を１秒以上長押しすると、順方向のチャンネル連続切替モードが、前のチャンネルに切替えるボタン３０１を１秒以上長押しすると、逆順方向のチャンネル連続切替モードが設定される。また、チャンネル連続切替モードに設定されている間は、ボタン３０１またはボタン３０２を１秒未満押して離すと、連続切替モードが解除される。連続切替モードが解除された状態での各ボタンの機能は、第１の実施の形態と同様である。
なお、リモコン３００のボタンレイアウトおよびボタンの機能は、上で説明したものに限定されない。たとえば、連続切替モードの設定および解除については、専用のボタンやレバーやダイヤルなどを設け、これで行なうことにしてもよい。また、第１の実施例の第１の変形例で説明した、新着情報に切替わったときに、自動的に連続切替モードが解除されてもよい。
データ出力時間決定部１１０は、図５に示した嗜好度集計表に基づき、各データの出力時間を設定し、出力時間管理表を作成する。図１５に、第１の実施の形態の第２の変形例におけるデータ出力時間決定部１１０で作成される出力時間管理表の具体例を示す。図１５に示される出力時間管理表は、嗜好度投票受付部１０２においてリモコン３００よりユーザからの投票を受付け、嗜好度集計結果記憶部１０７に記憶される嗜好度集計表が更新される度に、データ出力時間決定部１１０において作成される。また、メディアデータ切替要求受付部１０１において、リモコン３００からボタン３０１とボタン３０２とによるチャンネル切替要求操作を受付けたときに作成されても構わない。または、嗜好度集計表の更新やチャンネル切替要求操作のタイミングとは無関係に、一定時間ごとに作成されても構わない。
図１５を参照して、出力時間管理表においては、嗜好度集計表に記載される各チャンネル番号ごとの嗜好度に加えて、出力時間が各チャンネル番号に対応している。データ出力時間決定部１１０は、図１５に示す出力時間管理表を作成する際に、あるチャンネルの出力時間を、図５に示した嗜好度集計表においてそのチャンネル番号に対応する嗜好度が０以上の場合に、（嗜好度×５）秒なる値に設定する。
なお、図５においては初期状態ではチャンネルの嗜好度値が１であり、図１５においては嗜好度値１のチャンネルの出力時間は５秒と決めているが、この値はユーザ操作などによって適宜調整できることが好ましい。
また、各チャンネルの出力時間は、全てのチャンネルを一通り切替え終わるのに要する時間を予め規定し、この時間を各チャンネルの嗜好度値に応じて配分するようにして決定されても構わない。
メディアデータ再生装置１００であるテレビは、切替先メディアデータ決定部１０４においてチャンネル切替順を示す配列を図６のように再配置し、この切替管理表の順番に、順次チャンネル切替処理を行なう。その際に、図１５に示される出力時間管理表において各チャンネルごとに設定されている出力時間を参照し、この出力時間が経過するごとにチャンネル切替処理を行なうものとする。
なお、チャンネル切替処理は図６に示される切替管理表によらず、チャンネル番号順に切替えていく構成としても構わない。
第１の実施の形態の第２の変形例におけるメディアデータ再生装置１００であるテレビは、上述の動作を行なうため、ユーザが嗜好度投票操作によって各チャンネルの嗜好度を適宜設定した上で、連続切替モードに設定すると、嗜好度の高いチャンネルはより長く、嗜好度の低いチャンネルはより短く表示されながら、次々にチャンネルが自動的に切替わるようになる。この結果、ユーザは嗜好度の高いチャンネルを重点的に視聴することが可能になる。
なお、第１の実施の形態の第２の変形例においては、リモコン３００から情報の入力を受付けたメディアデータ再生装置１００であるテレビが切替先のメディアデータを決定する処理を行なう場合について説明したが、この処理を全てリモコン３００が実行してもよい。この場合のリモコン３００の機能構成が図１６に示される機能構成であって、図１３に示されるメディアデータ再生装置１００であるテレビの機能構成と同様の機能構成であり、通信機能を備える出力部２０５より、切替先メディアデータ決定部２０４で決定したチャンネルの切替先をテレビに対して送信するものとする。この場合の処理は上述の処理と同様であるため、ここでの説明は繰返さない。
また、リモコン３００は新着情報取得部２０８を含まない構成であってもよい。これについては第１の実施の形態の第１の変形例で述べたので、ここでの説明は繰返さない。
［第２の実施の形態］
第２の実施の形態として、メディアデータ再生装置１００がデジタルカメラである場合について説明する。
図１７は、第２の実施の形態におけるメディアデータ再生装置１００であるデジタルカメラ４００の背面の操作系レイアウトの具体例を示す図である。
図１７を参照して、第２の実施の形態におけるデジタルカメラ４００は、出力部１０５に該当する液晶画面４０１に、前の画像を表示させるボタン４０２と、次の画像を表示させるボタン４０３と、嗜好度を上げる正の投票を行なうボタン４０４と、嗜好度を下げる負の投票を行なうボタン４０５とを含む。
メディアデータ再生装置１００であるデジタルカメラ４００は、メディアデータ切替要求受付部１０１において、ボタン４０２とボタン４０３とによる表示画像切替要求操作を受付ける。また、嗜好度投票受付部１０２において、ボタン４０４とボタン４０５とによる嗜好度投票操作を受付ける。
以降において、ユーザが、これらのボタン４０２〜４０５を利用して、メモリに記録されている画像を液晶画面４０１に次々に表示させる操作を行なう場合について説明する。
メモリ内には全部で４０の画像がファイルとして記録されていて、ファイル名は１．ｊｐｇ〜４０．ｊｐｇであるものとする。
嗜好度投票操作を全く行なっていない段階においては、ボタン４０２を押すとファイルを逆順に、ボタン４０３を押すとファイルを順に、液晶画面４０１に表示する。また、最終画像ファイルである４０．ｊｐｇが表示されている時にボタン４０３を押すと先頭画像ファイルである１．ｊｐｇが、１．ｊｐｇが表示されている時にボタン４０２を押すと４０．ｊｐｇが表示されるものとする。
メディアデータ再生装置１００であるデジタルカメラ４００は、嗜好度集計部１０３において、嗜好度投票受付部１０２が受付けたユーザからの投票に基づいて、図１８に示すような嗜好度集計表を作成する。そして、嗜好度集計結果記憶部１０７に記憶されている嗜好度集計表を更新し、各画像ファイルに対するユーザの嗜好度を管理する。
図１８に、嗜好度集計部１０３で作成され、嗜好度集計結果記憶部１０７に記憶される嗜好度集計表の具体例を示す。図１８に示される嗜好度集計表は、各画像ファイルとその画像ファイルに対するユーザの嗜好度とを対応させた表である。
図１８に示す嗜好度集計表は、初期状態では、全ての画像ファイルの嗜好度が１０に設定されているものとする。そして、表示中にボタン４０４が押された画像ファイルについては、ボタン４０４が押された回数分だけ嗜好度がインクリメントされる。逆に、表示中にボタン４０５が押されたチャンネルについては、ボタン４０５が押された回数分だけ嗜好度がデクリメントされる。
なお、上述においては、表示中の画像ファイルに対してのみボタン４０４またはボタン４０５を押して嗜好度を投票する例が示されているが、現在表示中ではない他の画像ファイルに対しても同時に投票が行なわれてもよい。例えば、画像ファイルが、画像のジャンルや、撮影場所に関する情報等の付帯情報等の属性を含む場合、現在表示中の画像ファイルが含む属性と同じ属性を含む他の画像ファイルについて、同時に投票されてもよい。なお、このような属性の設定方法については、既存の設定方法を採用することが可能であるため、ここでの詳細な説明は行なわない。
メディアデータ再生装置１００であるデジタルカメラ４００は、切替先メディアデータ決定部１０４において、図１８に示す嗜好度集計表に基づき、画像ファイル表示順の配列を図１９のように再配置する。図１９に、切替先メディアデータ決定部１０４で作成される切替管理表の具体例を示す。
本実施の形態における切替先メディアデータ決定部１０４は、図１９に示す切替管理表を作成する際に、第１の実施の形態における切替先メディアデータ決定部１０４と逆の動作を行なう。具体的には、図１９を参照して、図１８に示す嗜好度表において嗜好度が１０以下の画像ファイルがエントリーされていて、中でも嗜好度が９以下のファイルについては、嗜好度が低ければ低いほど多数回のエントリーがなされている。
さらに図１９を参照して、画像ファイル表示順の配列の左列にある印は、現在表示中の画像ファイルであることを示す。具体的に図１９においては現在画像ファイル４．ｊｐｇが表示中であることを示している。そして、この状態において、ユーザがボタン４０２を押せば３．ｊｐｇが、ボタン４０３を押せば７．ｊｐｇが表示されることになる。
第２の実施の形態におけるメディアデータ再生装置１００であるデジタルカメラ４００は、上述の動作を行なうため、ユーザが嗜好度投票操作、表示画像を切替える操作を繰返すと、嗜好度の高い画像はより稀に、嗜好度の低い画像はより頻繁に表示されるようになる。この結果、ユーザは、ファイル名を意識することなく、最終的に１つ以上の嗜好度の低い画像（群）を絞込むことができる。これは、メモリの残量がなくなり更に撮影を続けるには不要な画像を選んでメモリから削除する必要が生じた場合に、削除する候補を絞込むのに役に立つと考えられる。
なお、上述した一連の操作により設定された嗜好度情報は、所定の条件によってリセットされるものとする。所定の条件とは、デジタルカメラの電源が切られた時に全ての画像の嗜好度を１０にするようにしてもよいし、別途嗜好度をリセットする操作専用の操作手段を設け、これを利用するようにしてもよい。
また、上の例では嗜好度が１１以上の画像ファイルは自動的に切替対象から外していたが、ユーザが嗜好度上限値を設定する操作を行ない、たとえば嗜好度上限値が７に設定されれば、嗜好度が７以下の画像ファイルリストから図１９の配列を再構成するようにしてもよい。
さらに第２の実施の形態では、嗜好度の低い画像ファイルを絞込む手順を示したが、もちろん、第１の実施の形態と同じく、嗜好度の高い画像ファイルを絞込むようにしても構わない。この場合、好きな画像を選択して順々にスライドショー表示させるような用途に好適であると考えられる。
なお、メディアデータ再生装置１００は、ユーザからの投票結果に替えて、ユーザの、メディアデータの再生時間に基づいて、ユーザからの切替要求時に切替えるメディアデータを決定することもできる。すなわち、この場合、メディアデータ再生装置１００の嗜好度投票受付部１０２は、上述の投票を受付ける機能に替えて再生時間を計測する機能を備え、ユーザによる各メディアデータの再生時間を計測する。そして、計測された再生時間の長いメディアデータほど嗜好度が高いメディアデータであるものとして、嗜好度集計部１０３において再生時間に基づく嗜好度の集計を実行し、以降同様の処理を行なって、切替えるメディアデータを決定することができる。
［第２の実施の形態の変形例］
第２の実施の形態の変形例として、メディアデータ再生装置１００であるデジタルカメラが自動的に画像を次々に切替えて表示するモードを備え、このモードを利用する場合について説明する。
第２の実施の形態の変形例におけるメディアデータ再生装置１００において、再生するメディアデータを連続的に切替えていく機能は、第１の実施の形態の第２の変形例において図１３の機能ブロック図に示された機能構成と同様のき機能構成で実現され、メディアデータ切替処理の流れは図１４のフローチャートに示されるメディアデータ切替処理と同様である。そのため、ここでの説明を繰返さない。
また、第２の実施の形態の変形例におけるメディアデータ再生装置１００であるデジタルカメラ４００の背面の操作系レイアウトも、図１７に示された操作系レイアウトと同様であるので、図１７を用いて説明する。すなわち図１７を参照して、次の画像を表示させるボタン４０３を１秒以上長押しすると、順方向の画像連続切替モードが、前の画像を表示させるボタン４０２を１秒以上長押しすると、逆順方向画像連続切替モードが設定される。また、画像連続切替モードに設定されている間は、ボタン４０２またはボタン４０３を１秒未満押して離すと、連続切替モードが解除される。連続切替モードが解除された状態での各ボタンの機能は、第２の実施の形態と同様である。
なお、デジタルカメラ４００のボタンレイアウト、ボタンの機能は上で説明したものに限定されない。たとえば、連続切替モードの設定および解除については、専用のボタンやレバーやダイヤルなどを設け、これで行なうことにしてもよい。
データ出力時間決定部１１０は図１８に示した嗜好度集計表に基づき、各データの出力時間を設定し、出力時間管理表を作成する。図２０に、第２の実施の形態の変形例におけるデータ出力時間決定部１１０で作成される出力時間管理表の具体例を示す。図２０に示される出力時間管理表は、嗜好度投票受付部１０２においてボタン４０４，４０５を押すことによるユーザの投票を受付け、嗜好度集計結果記憶部１０７に記憶されている嗜好度集計表が更新される度に、データ出力時間決定部１１０において作成される。また、メディアデータ切替要求受付部１０１において、デジタルカメラ４００からボタン４０２とボタン４０３とによる表示画像切替要求操作を受付けたときに作成されても構わない。または、嗜好度集計表の更新や画像切替要求操作のタイミングとは無関係に、一定時間ごとに作成されても構わない。
図２０を参照して、出力時間管理表においては、嗜好度集計表に記載される各画像ファイルごとの嗜好度に加えて、出力時間が各画像ファイルに対応している。データ出力時間決定部１１０は、図２０に示す出力時間管理表を作成する際に、ある画像の出力時間を、図１８に示した嗜好度集計表においてその画像ファイル名に対応する嗜好度が１０以下の場合に、（１２−嗜好度）秒なる値に設定する。
なお、出力時間の決定方法は上記の方法に限定するものではなく、全ての画像を一通り表示し終わるのに要する時間を予め指定し、この時間を各画像ファイルの嗜好度値に応じて配分するようにしてもよい。
また、出力時間の決定方法は、ユーザの投票による嗜好度情報に加え、撮影日時やファイルサイズなどの、各画像ファイルの属性を勘案して決定してもよい。
さらに、出力時間の決定方法は、ユーザ操作などによって適宜調整できることが好ましい。
メディアデータ再生装置１００であるデジタルカメラ４００は、切替先メディアデータ決定部１０４において画像ファイル切替順を示す配列を図１９のように再配置し、この切替管理表の順番に、順次画像ファイルの切替処理を行なう。その際に、図２０に示される出力時間管理表において各画像ファイルごとに設定されている出力時間を参照し、この出力時間が経過するごとに画像ファイルの切替処理を行なうものとする。
なお、画像ファイルの切替処理は図１９に示される切替管理表によらず、画像ファイル名の昇順や降順や撮影日時順やファイルサイズ順などに切替えていく構成としても構わない。
第２の実施の形態の変形例におけるメディアデータ再生装置１００であるデジタルカメラ４００は、上述の動作を行なうため、ユーザが嗜好度投票操作によって各画像ファイルの嗜好度を適宜設定した上で、連続切替モードに設定すると、嗜好度の低い画像はより長時間、嗜好度の高い画像はより短時間、表示されながら、次々に画像が自動的に切替わるようになる。この結果、ユーザはより嗜好度の低い画像群を重点的に見ることができる。これは、メモリの残量がなくなり更に撮影を続けるには不要な画像を選んで削除する必要が生じた場合に、削除する候補を絞込むのに役に立つと考えられる。
さらに第２の実施の形態の変形例では、嗜好度の低い画像ファイルを絞込む手順を示したが、もちろん、第１の実施の形態と同じく、嗜好度の高い画像ファイルを絞込むようにしても構わない。この場合、好きな画像を選択して順々にスライドショー表示させるような用途に好適であると考えられる。
以上の第１および第２の実施の形態、ならびにそれらの変形例では、メディアデータ再生装置１００がテレビまたはデジタルカメラである場合について述べたが、その他の装置にも同様に適用することができる。その他の装置としては、例えば音楽を再生する装置や、ＨＤＤ（Ｈａｒｄ  Ｄｉｓｃ  Ｄｒｉｖｅ）やＤＶＤ（Ｄｉｇｉｔａｌ  Ｖｉｄｅｏ  Ｄｉｓｃ）等の記録媒体から静止画や動画を読出して再生する再生装置などが考えられる。
このような第１および第２の実施の形態、ならびにそれらの変形例のメディアデータ再生装置１００における切替先のメディアデータの決定方法は、メディアデータの再生制御処理を機能させるためのプログラムで実現される。このプログラムはコンピュータで読取り可能な記録媒体に格納されている。本発明では、この記録媒体として、一般的なコンピュータで処理が行なわれるために、一般的なコンピュータに内蔵あるいは接続されるＲＯＭなどのメモリがプログラムメディアであってもよいし、また、外部記憶装置としてプログラム読取り装置が設けられ、そこに記録媒体を挿入することで読取り可能なプログラムメディアであってもよい。
いずれの場合においても、格納されているプログラムはマイクロプロセッサがアクセスして実行させる構成であってもよいし、あるいはいずれの場合もプログラムを読出し、読出されたプログラムは、一般的なコンピュータに構成されるＲＡＭなどのプログラム記憶エリアにダウンロードされて、そのプログラムが実行される方式であってもよい。このダウンロード用のプログラムは予め本体装置に格納されているものとする。
ここで上記プログラムメディアは、本体と分離可能に構成される記録媒体であり、磁気テープやカセットテープ等のテープ系、フレキシブルディスクやハードディスク等の磁気ディスクやＣＤ−ＲＯＭ（Ｃｏｍｐａｃｔ  Ｄｉｓｃ−ＲＯＭ）やＭＯ（Ｍａｇｎｅｔ  Ｏｐｔｉｃａｌ  ｄｉｓｃ）やＭＤ（Ｍｉｎｉ  Ｄｉｓｃ）やＤＶＤ等の光ディスクのディスク系、ＩＣカード（メモリカードを含む）や光カード等のカード系、あるいはマスクＲＯＭやＥＰＲＯＭ（Ｅｒａｓａｂｌｅ  Ｐｒｏｇｒａｍｍａｂｌｅ  Ｒｅａｄ  Ｏｎｌｙ  Ｍｅｍｏｒｙ：紫外線消去型ＲＯＭ）（Ｒ）やＥＥＰＲＯＭ（Ｅｌｅｃｔｒｉｏｎｉｃａｌｌｙ  Ｅｒａｓａｂｌｅ  Ｐｒｏｇｒａｍｍａｂｌｅ  Ｒｅａｄ  Ｏｎｌｙ  Ｍｅｍｏｒｙ：電気的消去型ＲＯＭ）（Ｒ）やフラッシュＲＯＭ等による半導体メモリを含めた固定的にプログラムを担持する媒体であってもよい。
また、インターネットを含む通信ネットワークと接続可能なシステム構成を組む場合には、通信ネットワークからプログラムをダウンロードするように流動的にプログラムを担持する媒体を用いてもよい。なお、このように通信ネットワークからプログラムをダウンロードする場合には、そのダウンロード用プログラムは予め本体装置に格納しておくか、あるいは別な記録媒体からインストールされるものであってもよい。
なお、記録媒体に格納されている内容としてはプログラムに限定されず、メデータであってもよい。
なお、今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図１】
2004030352.tif 000003
【図２】
2004030352.tif 000004
【図３】
2004030352.tif 000005
【図４】
2004030352.tif 000006
【図５】
2004030352.tif 000007
【図６】
2004030352.tif 000008
【図７】
2004030352.tif 000009
【図８】
2004030352.tif 000010
【図９】
2004030352.tif 000011
【図１０】
2004030352.tif 000012
【図１１】
2004030352.tif 000013
【図１２】
2004030352.tif 000014
【図１３】
2004030352.tif 000015
【図１４】
2004030352.tif 000016
【図１５】
2004030352.tif 000017
【図１６】
2004030352.tif 000018
【図１７】
2004030352.tif 000019
【図１８】
2004030352.tif 000020
【図１９】
2004030352.tif 000021
【図２０】
2004030352.tif 000022
【手続補正書】
【提出日】平成16年3月15日(2004.3.15)
【手続補正００１】
【補正対象書類名】特許請求の範囲
【補正対象項目名】全文
【補正方法】変更
【補正の内容】
【書類名】特許請求の範囲
【請求項１】出力データに対して、嗜好の度合いである嗜好度の投票を受付ける嗜好度投票受付部（１０２）と、
前記嗜好度投票受付部（１０２）で受付けた嗜好度の投票を集計する嗜好度集計部（１０３）と、
データを出力する出力部（１０５）と、
前記嗜好度集計部（１０３）における嗜好度の集計結果に基づいて、前記出力部（１０５）で出力中のデータの切替先を決定する切替先データ決定部（１０４）とを備え、
前記切替先データ決定部（１０４）は、前記嗜好度集計部（１０３）における嗜好度の集計結果に基づいて、嗜好度の高いデータほど前記切替先となる確率を高く決定する、データ出力装置。
【請求項２】前記切替先データ決定部（１０４）は、前記嗜好度集計部（１０３）における嗜好度の集計結果に基づいて、前記切替先となる確率を高く決定したデータほど高い頻度で出現する切替順序を構築する、請求の範囲第１項に記載のデータ出力装置。
【請求項３】出力データに対して、嗜好の度合いである嗜好度の投票を受付ける嗜好度投票受付部（１０２）と、
前記嗜好度投票受付部（１０２）で受付けた嗜好度の投票を集計する嗜好度集計部（１０３）と、
データを出力する出力部（１０５）と、
前記嗜好度集計部（１０３）における嗜好度の集計結果に基づいて、前記出力部（１０５）で出力中のデータの切替先を決定する切替先データ決定部（１０４）とを備え、
前記切替先データ決定部（１０４）は、前記嗜好度集計部（１０３）における嗜好度の集計結果に基づいて、嗜好度の低いデータほど前記切替先となる確率を高く決定する、データ出力装置。
【請求項４】前記切替先データ決定部（１０４）は、前記嗜好度集計部（１０３）における嗜好度の集計結果に基づいて、前記切替先となる確率を高く決定したデータほど高い頻度で出現する切替順序を構築する、請求の範囲第３項に記載のデータ出力装置。
【請求項５】出力データに対して、嗜好の度合いである嗜好度の投票を受付ける嗜好度投票受付部（１０２）と、
前記嗜好度投票受付部（１０２）で受付けた嗜好度の投票を集計する嗜好度集計部（１０３）と、
データを出力する出力部（１０５）と、
前記嗜好度集計部（１０３）における嗜好度の集計結果に基づいて、前記出力部（１０５）で出力中のデータの切替先を決定する切替先データ決定部（１０４）と、
嗜好度の下限値を設定する嗜好度限界値設定部（１０６）とを備え、
前記切替先データ決定部（１０４）は、前記嗜好度集計部（１０３）における嗜好度の集計結果に基づいて、前記嗜好度限界値設定部（１０６）で設定された下限値よりも嗜好度の高いデータを前記切替先と決定する、データ出力装置。
【請求項６】出力データに対して、嗜好の度合いである嗜好度の投票を受付ける嗜好度投票受付部（１０２）と、
前記嗜好度投票受付部（１０２）で受付けた嗜好度の投票を集計する嗜好度集計部（１０３）と、
データを出力する出力部（１０５）と、
前記嗜好度集計部（１０３）における嗜好度の集計結果に基づいて、前記出力部（１０５）で出力中のデータの切替先を決定する切替先データ決定部（１０４）と、
嗜好度の上限値を設定する嗜好度限界値設定部（１０６）とを備え、
前記切替先データ決定部（１０４）は、前記嗜好度集計部（１０３）における嗜好度の集計結果に基づいて、前記嗜好度限界値設定部（１０６）で設定された上限値よりも嗜好度の低いデータを前記切替先と決定する、データ出力装置。
【請求項７】出力データに対して、嗜好の度合いである嗜好度の投票を受付ける嗜好度投票受付部（１０２）と、
前記嗜好度投票受付部（１０２）で受付けた嗜好度の投票を集計する嗜好度集計部（１０３）と、
データを出力する出力部（１０５）と、
前記嗜好度集計部（１０３）における嗜好度の集計結果に基づいて、前記出力部（１０５）で出力中のデータの切替先を決定する切替先データ決定部（１０４）と、
新着情報を取得する新着情報取得部（１０８）とを備え、
前記切替先データ決定部（１０４）は、前記新着情報取得部（１０８）で前記新着情報を取得した際に、前記新着情報を前記切替先として決定する、データ出力装置。
【請求項８】前記嗜好度投票受付部（１０２）は、１の前記出力データに対して、嗜好の度合いに応じて複数の票を受付けることができる、請求の範囲第１項〜第７項のいずれかに記載のデータ出力装置。
【請求項９】前記嗜好度投票受付部（１０２）は、嗜好度が低いことを示す負の票を含む嗜好の度合いの投票を受付ける、請求の範囲第１項〜第７項のいずれかに記載のデータ出力装置。
【請求項１０】前記嗜好度投票受付部（１０２）は、前記出力部（１０５）で現在出力中のデータに対して嗜好の度合いの投票を受付ける、請求の範囲第１項〜第７項のいずれかに記載のデータ出力装置。
【請求項１１】前記嗜好度投票受付部（１０２）は、投票を受付けたデータが含む属性と同じ属性を含む前記投票を受付けたデータ以外の他のデータに対しても、同時に、嗜好の度合いの投票を受付ける、請求の範囲第１項〜第７項のいずれかに記載のデータ出力装置。
【請求項１２】前記嗜好度集計部（１０３）における集計結果をリセットする集計結果リセット部（１０３）をさらに備える、請求の範囲第１項〜第７項のいずれかに記載のデータ出力装置。
【請求項１３】前記嗜好度投票受付部（１０２）に替えて、データの出力時間を測定する出力時間測定部（１０２）を備え、
前記嗜好度集計部（１０３）は、前記出力時間測定部（１０２）で測定された出力時間に基づいてデータの嗜好度を集計する、請求の範囲第１項〜第７項のいずれかに記載のデータ出力装置。
【請求項１４】（削除）
【請求項１５】前記出力部（１０５）は、現在出力中のデータと前記切替先である前記出力中のデータとは異なるデータとを切替えて出力する処理を連続的に行なう、請求の範囲第１項〜第７項のいずれかに記載のデータ出力装置。
【請求項１６】出力データに対して、嗜好の度合いである嗜好度の投票を受付ける嗜好度投票受付部（１０２）と、
前記嗜好度投票受付部（１０２）で受付けた嗜好度の投票を集計する嗜好度集計部（１０３）と、
データを出力する出力部（１０５）と、
前記嗜好度集計部（１０３）における嗜好度の集計結果に基づいて、前記出力部（１０５）で出力中のデータの切替先を決定する切替先データ決定部（１０４）と、
前記出力部（１０５）でのデータの出力時間を決定するデータ出力時間決定部（１１０）とを備え、
前記出力部（１０５）は、前記データ出力時間決定部（１１０）で決定された時間が経過するごとに、現在出力中のデータと前記切替先である前記出力中のデータとは異なるデータとを切替えて出力する処理を行なう、データ出力装置。
【請求項１７】前記データ出力時間決定部（１１０）は、前記嗜好度集計部（１０３）における嗜好度の集計結果に基づいて前記出力部（１０５）でのデータの出力時間を決定する、請求の範囲第１６項に記載のデータ出力装置。
【請求項１８】前記データ出力時間決定部（１１０）は、前記嗜好度集計部（１０３）における嗜好度の集計結果に基づいて、嗜好度の高いデータほど出力時間を長く設定する、請求の範囲第１７項に記載のデータ出力装置。
【請求項１９】前記データ出力時間決定部（１１０）は、前記嗜好度集計部（１０３）における嗜好度の集計結果に基づいて、嗜好度の低いデータほど出力時間を長く設定する、請求の範囲第１７項に記載のデータ出力装置。
【請求項２０】データ出力装置と通信を行なって前記データ出力装置を制御する制御装置であって、
出力データに対して、嗜好の度合いである嗜好度の投票を受付ける嗜好度投票受付部（２０２）と、
前記嗜好度投票受付部（２０２）で受付けた嗜好度の投票を集計する嗜好度集計部（２０３）と、
前記嗜好度集計部（２０３）における嗜好度の集計結果に基づいて、前記データ出力装置において出力中のデータの切替先を決定する切替先データ決定部（２０４）と、
前記データ出力装置において出力するデータを、現在出力中のデータから前記切替先である前記出力中のデータとは異なるデータに切替える制御信号を前記データ出力装置に対して出力する出力部（２０５）とを備え、
前記切替先データ決定部（２０４）は、前記嗜好度集計部（２０３）における嗜好度の集計結果に基づいて、嗜好度の高いデータほど前記切替先となる確率を高く決定する、制御装置。
【請求項２１】出力データに対して、嗜好の度合いである嗜好度の投票を受付ける嗜好度投票ステップ（Ｓ２０１）と、
前記投票された嗜好度を集計する嗜好度集計ステップ（Ｓ２０２）と、
前記嗜好度の集計結果に基づいて、出力中のデータの切替先を決定する切替先データ決定ステップ（Ｓ２０３）と、
出力するデータを、現在出力中のデータから前記切替先である前記出力中のデータとは異なるデータに切替えるデータ切替ステップ（Ｓ２０５）とを備え、
前記切替先データ決定ステップ（Ｓ２０３）は、前記嗜好度集計ステップ（Ｓ２０２）における嗜好度の集計結果に基づいて、嗜好度の高いデータほど前記切替先となる確率を高く決定する、データ出力方法。
【請求項２２】データ出力方法をコンピュータに実行させるプログラムプロダクトであって、
出力データに対して、嗜好の度合いである嗜好度の投票を受付ける嗜好度投票ステップ（Ｓ２０１）と、
前記投票された嗜好度を集計する嗜好度集計ステップ（Ｓ２０２）と、
前記嗜好度の集計結果に基づいて、出力中のデータの切替先を決定する切替先データ決定ステップ（Ｓ２０３）と、
出力するデータを、現在出力中のデータから前記切替先である前記出力中のデータとは異なるデータに切替えるデータ切替ステップ（Ｓ２０５）とを実行させ、
前記切替先データ決定ステップ（Ｓ２０３）は、前記嗜好度集計ステップ（Ｓ２０２）における嗜好度の集計結果に基づいて、嗜好度の高いデータほど前記切替先となる確率を高く決定する、データ出力プログラムプロダクト。
【請求項２３】データ出力装置と通信を行なって前記データ出力装置を制御する制御装置であって、
出力データに対して、嗜好の度合いである嗜好度の投票を受付ける嗜好度投票受付部（２０２）と、
前記嗜好度投票受付部（２０２）で受付けた嗜好度の投票を集計する嗜好度集計部（２０３）と、
前記嗜好度集計部（２０３）における嗜好度の集計結果に基づいて、前記データ出力装置において出力中のデータの切替先を決定する切替先データ決定部（２０４）と、
前記データ出力装置において出力するデータを、現在出力中のデータから前記切替先である前記出力中のデータとは異なるデータに切替える制御信号を前記データ出力装置に対して出力する出力部（２０５）とを備え、
前記切替先データ決定部（２０４）は、前記嗜好度集計部（２０３）における嗜好度の集計結果に基づいて、嗜好度の低いデータほど前記切替先となる確率を高く決定する、制御装置。
【請求項２４】出力データに対して、嗜好の度合いである嗜好度の投票を受付ける嗜好度投票ステップ（Ｓ２０１）と、
前記投票された嗜好度を集計する嗜好度集計ステップ（Ｓ２０２）と、
前記嗜好度の集計結果に基づいて、出力中のデータの切替先を決定する切替先データ決定ステップ（Ｓ２０３）と、
出力するデータを、現在出力中のデータから前記切替先である前記出力中のデータとは異なるデータに切替えるデータ切替ステップ（Ｓ２０５）とを備え、
前記切替先データ決定ステップ（Ｓ２０３）は、前記嗜好度集計ステップ（Ｓ２０２）における嗜好度の集計結果に基づいて、嗜好度の低いデータほど前記切替先となる確率を高く決定する、データ出力方法。
【請求項２５】データ出力方法をコンピュータに実行させるプログラムプロダクトであって、
出力データに対して、嗜好の度合いである嗜好度の投票を受付ける嗜好度投票ステップ（Ｓ２０１）と、
前記投票された嗜好度を集計する嗜好度集計ステップ（Ｓ２０２）と、
前記嗜好度の集計結果に基づいて、出力中のデータの切替先を決定する切替先データ決定ステップ（Ｓ２０３）と、
出力するデータを、現在出力中のデータから前記切替先である前記出力中のデータとは異なるデータに切替えるデータ切替ステップ（Ｓ２０５）とを実行させ、
前記切替先データ決定ステップ（Ｓ２０３）は、前記嗜好度集計ステップ（Ｓ２０２）における嗜好度の集計結果に基づいて、嗜好度の低いデータほど前記切替先となる確率を高く決定する、データ出力プログラムプロダクト。


【手続補正００２】
【補正対象書類名】明細書
【補正対象項目名】０００３
【補正方法】変更
【補正の内容】
【０００３】
本発明においては、上述の課題を解決するために、以下に示されるデータ出力装置、制御装置、データ出力方法、およびデータ出力プログラムプロダクトが提供される。
（１）出力データに対して、嗜好の度合いである嗜好度の投票を受付ける嗜好度投票受付部と、嗜好度投票受付部で受付けた嗜好度の投票を集計する嗜好度集計部と、データを出力する出力部と、嗜好度集計部における嗜好度の集計結果に基づいて、出力部で出力中のデータの切替先を決定する切替先データ決定部とを備え、切替先データ決定部は、嗜好度集計部における嗜好度の集計結果に基づいて、嗜好度の高いデータほど切替先となる確率を高く決定する、データ出力装置。
（２）出力データに対して、嗜好の度合いである嗜好度の投票を受付ける嗜好度投票受付部と、嗜好度投票受付部で受付けた嗜好度の投票を集計する嗜好度集計部と、データを出力する出力部と、嗜好度集計部における嗜好度の集計結果に基づいて、出力部で出力中のデータの切替先を決定する切替先データ決定部とを備え、切替先データ決定部は、嗜好度集計部における嗜好度の集計結果に基づいて、嗜好度の低いデータほど切替先となる確率を高く決定する、データ出力装置。
（３）出力データに対して、嗜好の度合いである嗜好度の投票を受付ける嗜好度投票受付部と、嗜好度投票受付部で受付けた嗜好度の投票を集計する嗜好度集計部と、データを出力する出力部と、嗜好度集計部における嗜好度の集計結果に基づいて、出力部で出力中のデータの切替先を決定する切替先データ決定部と、嗜好度の下限値を設定する嗜好度限界値設定部とを備え、切替先データ決定部は、嗜好度集計部における嗜好度の集計結果に基づいて、嗜好度限界値設定部で設定された下限値よりも嗜好度の高いデータを切替先と決定する、データ出力装置。
（４）出力データに対して、嗜好の度合いである嗜好度の投票を受付ける嗜好度投票受付部と、嗜好度投票受付部で受付けた嗜好度の投票を集計する嗜好度集計部と、データを出力する出力部と、嗜好度集計部における嗜好度の集計結果に基づいて、出力部で出力中のデータの切替先を決定する切替先データ決定部と、嗜好度の上限値を設定する嗜好度限界値設定部とを備え、切替先データ決定部は、嗜好度集計部における嗜好度の集計結果に基づいて、嗜好度限界値設定部で設定された上限値よりも嗜好度の低いデータを切替先と決定する、データ出力装置。
（５）出力データに対して、嗜好の度合いである嗜好度の投票を受付ける嗜好度投票受付部と、嗜好度投票受付部で受付けた嗜好度の投票を集計する嗜好度集計部と、データを出力する出力部と、嗜好度集計部における嗜好度の集計結果に基づいて、出力部で出力中のデータの切替先を決定する切替先データ決定部と、新着情報を取得する新着情報取得部とを備え、切替先データ決定部は、新着情報取得部で新着情報を取得した際に、新着情報を切替先として決定する、データ出力装置。
（６）出力データに対して、嗜好の度合いである嗜好度の投票を受付ける嗜好度投票受付部と、嗜好度投票受付部で受付けた嗜好度の投票を集計する嗜好度集計部と、データを出力する出力部と、嗜好度集計部における嗜好度の集計結果に基づいて、出力部で出力中のデータの切替先を決定する切替先データ決定部と、出力部でのデータの出力時間を決定するデータ出力時間決定部とを備え、出力部は、データ出力時間決定部で決定された時間が経過するごとに、現在出力中のデータと切替先であるその出力中のデータとは異なるデータとを切替えて出力する処理を行なう、データ出力装置。
（７）データ出力装置と通信を行なってデータ出力装置を制御する制御装置であって、出力データに対して、嗜好の度合いである嗜好度の投票を受付ける嗜好度投票受付部と、嗜好度投票受付部で受付けた嗜好度の投票を集計する嗜好度集計部と、嗜好度集計部における嗜好度の集計結果に基づいて、データ出力装置において出力中のデータの切替先を決定する切替先データ決定部と、データ出力装置において出力するデータを、現在出力中のデータから切替先であるその出力中のデータとは異なるデータに切替える制御信号をデータ出力装置に対して出力する出力部とを備え、切替先データ決定部は、嗜好度集計部における嗜好度の集計結果に基づいて、嗜好度の高いデータほど切替先となる確率を高く決定する、制御装置。
（８）データ出力装置と通信を行なってデータ出力装置を制御する制御装置であって、出力データに対して、嗜好の度合いである嗜好度の投票を受付ける嗜好度投票受付部と、嗜好度投票受付部で受付けた嗜好度の投票を集計する嗜好度集計部と、嗜好度集計部における嗜好度の集計結果に基づいて、データ出力装置において出力中のデータの切替先を決定する切替先データ決定部と、データ出力装置において出力するデータを、現在出力中のデータから切替先であるその出力中のデータとは異なるデータに切替える制御信号をデータ出力装置に対して出力する出力部とを備え、切替先データ決定部は、嗜好度集計部における嗜好度の集計結果に基づいて、嗜好度の低いデータほど切替先となる確率を高く決定する、制御装置。
（９）出力データに対して、嗜好の度合いである嗜好度の投票を受付ける嗜好度投票ステップと、投票された嗜好度を集計する嗜好度集計ステップと、嗜好度の集計結果に基づいて、出力中のデータの切替先を決定する切替先データ決定ステップと、出力するデータを、現在出力中のデータから切替先であるその出力中のデータとは異なるデータに切替えるデータ切替ステップとを備え、切替先データ決定ステップは、嗜好度集計ステップにおける嗜好度の集計結果に基づいて、嗜好度の高いデータほど切替先となる確率を高く決定する、データ出力方法。
（１０）出力データに対して、嗜好の度合いである嗜好度の投票を受付ける嗜好度投票ステップと、投票された嗜好度を集計する嗜好度集計ステップと、嗜好度の集計結果に基づいて、出力中のデータの切替先を決定する切替先データ決定ステップと、出力するデータを、現在出力中のデータから切替先であるその出力中のデータとは異なるデータに切替えるデータ切替ステップとを備え、切替先データ決定ステップは、嗜好度集計ステップにおける嗜好度の集計結果に基づいて、嗜好度の低いデータほど切替先となる確率を高く決定する、データ出力方法。
（１１）データ出力方法をコンピュータに実行させるプログラムプロダクトであって、出力データに対して、嗜好の度合いである嗜好度の投票を受付ける嗜好度投票ステップと、投票された嗜好度を集計する嗜好度集計ステップと、嗜好度の集計結果に基づいて、出力中のデータの切替先を決定する切替先データ決定ステップと、出力するデータを、現在出力中のデータから切替先であるその出力中のデータとは異なるデータに切替えるデータ切替ステップとを実行させ、切替先データ決定ステップは、嗜好度集計ステップにおける嗜好度の集計結果に基づいて、嗜好度の高いデータほど切替先となる確率を高く決定する、データ出力プログラムプロダクト。
【手続補正００３】
【補正対象書類名】明細書
【補正対象項目名】０００４
【補正方法】変更
【補正の内容】
【０００４】
（１２）データ出力方法をコンピュータに実行させるプログラムプロダクトであって、出力データに対して、嗜好の度合いである嗜好度の投票を受付ける嗜好度投票ステップと、投票された嗜好度を集計する嗜好度集計ステップと、嗜好度の集計結果に基づいて、出力中のデータの切替先を決定する切替先データ決定ステップと、出力するデータを、現在出力中のデータから切替先であるその出力中のデータとは異なるデータに切替えるデータ切替ステップとを実行させ、切替先データ決定ステップは、嗜好度集計ステップにおける嗜好度の集計結果に基づいて、嗜好度の低いデータほど切替先となる確率を高く決定する、データ出力プログラムプロダクト。
図面の簡単な説明
第１図は、本発明の実施の形態におけるメディアデータ再生装置１００のハードウェア構成の具体例を示す図である。
第２図は、本発明の実施の形態のメディアデータ再生装置１００において、再生するメディアデータを切替える機能を実現する機能構成を示す機能ブロック図である。
第３図は、本発明の実施の形態におけるメディアデータ再生装置１００で行なわれる切替先メディアデータ決定処理の流れを示すフローチャートである。
第４図は、第１の実施の形態におけるメディアデータ再生装置１００であるテレビを制御するリモコン３００のボタンレイアウトの具体例を示す図である。
第５図は、第１の実施の形態において、嗜好度集計部１０３で作成され、嗜好度集計結果記憶部１０７に記憶される嗜好度集計表の具体例を示す図である。
第６図は、第１の実施の形態において、切替先メディアデータ決定部１０４で作成される切替管理表の具体例を示す図である。
第７図は、切替先メディアデータ決定処理を行なうリモコン３００の機能構成を示す機能ブロック図である。
第８図は、第１の実施の形態の第１の変形例におけるメディアデータ再生装置１００において、再生するメディアデータを切替える機能を実現する機能構成を示す機能ブロック図である。
第９図は、第１の実施の形態の第１の変形例におけるメディアデータ再生装置１００で行なわれる切替先メディアデータ決定処理の流れを示すフローチャートである。
第１０図は、第１の実施の形態の第１の変形例において、切替先メディアデータ決定部１０４で作成される切替管理表の具体例を示す図である。
第１１図および第１２図は、第１の実施の形態の第１の変形例における切替先メディアデータ決定処理の一部または全てを行なうリモコン３００の機能構成を
【国際調査報告】
2004030352.tif 000023
2004030352.tif 000024
2004030352.tif 000025
2004030352.tif 000026